(57)【要約】【課題】  信号線相互間のクロストークの影響を極力抑制したケーブルの最適化設計条件の探知が容易に行えるよう、ケーブリング環境を模擬的に再現して誘導ノイズ試験を行うことができる２回路間の誘導ノイズベンチ試験装置を提供する。【解決手段】  このベンチ試験装置１は、平板状基台（グランドプレーン）２と、ノイズ発生器５に接続されたノイズ源電線３と、ノイズ測定器６に接続された被測定電線とを備えている。基台２上において、ノイズ源電線３と被測定電線４とが配索可能とされていると共に、ノイズ源電線３と被測定電線４とを近接させて所定長さ並走可能とするカップリング部Ｃの形成領域が設けられている。【選択図】      図１
2005241277.tif 000002
【特許請求の範囲】
【請求項１】
接地手段を備える基台と、ノイズ発生器に接続可能とされたノイズ源電線を備えた第１の電気回路と、ノイズ測定器に接続可能とされた被測定電線を備えた第２の電気回路とを備えてなり、
前記基台上に、前記ノイズ源電線と被測定電線とが配索可能とされていると共に、両者を近接させて所定長さ並走させるカップリング部形成領域が設けられており、
前記基台の接地手段に対し、前記ノイズ源電線及び被測定電線の終端部のアース接続を可能とするアース接続部が設けられていることを特徴とする２回路間の誘導ノイズベンチ試験装置。
【請求項２】
前記ノイズ測定器と前記被測定電線との間に介装可能とされたインピーダンス変換器を備えていることを特徴とする請求項１記載の２回路間の誘導ノイズベンチ試験装置。
【請求項３】
前記基台は、その表面が金属平板で覆われたグランドプレーンからなり、前記金属平板が接地手段として機能することを特徴とする請求項１記載の２回路間の誘導ノイズベンチ試験装置。
【請求項４】
前記カップリング部において、前記ノイズ源電線と被測定電線との並走長さ、並走間隔、及び基台からの配索高さのうちの、少なくとも一つを調整可能とするカップリング調整冶具を備えていることを特徴とする請求項１〜３いずれかに記載の２回路間の誘導ノイズベンチ試験装置。
【請求項５】
前記ノイズ発生器が、トラッキングジェネレーターからなることを特徴とする請求項１記載の２回路間の誘導ノイズベンチ試験装置。
【発明の詳細な説明】
【技術分野】
【０００１】
本発明は、ＬＡＮケーブルやオーディオ用ケーブル等の信号用ケーブル等の設計に際し、電線相互間に如何なる誘導ノイズが作用するかにつき、実際にケーブル化した場合を模擬して試験を行うことができるようにするための、２回路間の誘導ノイズベンチ試験装置に関するものである。
【背景技術】
【０００２】
複数本の信号伝送用メタル信号線を複合化してなるＬＡＮケーブルやオーディオ用ケーブル等の信号用ケーブルにおいては、信号線相互間の誘導ノイズによるクロストーク（漏話）の問題が生じるため、そのケーブル設計に際しては、前記クロストークを可及的に抑制できるケーブル構造（遮蔽構造）とすることが望ましい。従ってケーブル設計に当り、実際に複数の信号線を束ね遮蔽層等を形成してケーブリングした上で、特定の信号線に基準信号（雑音信号）を流し、このときに他の信号線に誘導される誘導ノイズを計測して信号線相互間のクロストーク特性を求め、これにより得られたデータをケーブル設計にフィードバックすることが最も望ましいと言える。
【０００３】
しかしながら、クロストーク特性等を最適化すべく遮蔽構造や信号線の配置等を設計変更する度にケーブリング加工を行い、誘導ノイズの試験を行ったのでは、その設計変更の度に手間とコストのかかるケーブリング加工を行わねばならず、その作業の煩わしさは設計効率を極めて悪化させることになる。そこで、信号線を実際にケーブル化したケーブリング環境を模擬的に容易に再現できる試験装置が求められるところであるが、そのような試験装置は未だ提案されていないのが実情である。
【発明の開示】
【発明が解決しようとする課題】
【０００４】
従って本発明は、例えば複数本のメタル信号線を複合化させた信号用ケーブル等を設計するに際し、前記信号線相互間の誘導ノイズの影響（クロストークの影響）を極力抑制したケーブルの最適化設計条件の探知が容易に行えるよう、ケーブリング環境を模擬的に再現して誘導ノイズ試験を行うことができる２回路間の誘導ノイズベンチ試験装置を提供することを課題とする。
【課題を解決するための手段】
【０００５】
本発明の請求項１にかかる２回路間の誘導ノイズベンチ試験装置は、接地手段を備える基台と、ノイズ発生器に接続可能とされたノイズ源電線を備えた第１の電気回路と、ノイズ測定器に接続可能とされた被測定電線を備えた第２の電気回路とを備えてなり、前記基台上に、前記ノイズ源電線と被測定電線とが配索可能とされていると共に、両者を近接させて所定長さ並走させるカップリング部形成領域が設けられており、前記基台の接地手段に対し、前記ノイズ源電線及び被測定電線の終端部のアース接続を可能とするアース接続部が設けられていることを特徴とする。
【０００６】
このような構成によれば、ノイズ発生器に第１の電気回路のノイズ源電線を接続して当該ノイズ源電線から誘導ノイズを輻射させることで、実際にケーブル化した場合を模したノイズ発生環境が簡易に再現可能となる。加えて、ノイズ測定器に接続された第２の電気回路の被測定電線に対し、前記ノイズ源電線を並走させて所定の領域にカップリング部を形成し、さらには前記基台の接地手段に対し前記ノイズ源電線及び被測定電線の終端部をアース接続することで、第１及び第２の電気回路間の誘導ノイズ試験環境、すなわち複数本の信号線等を実際にケーブル化した場合の試験環境等も簡易に再現可能となる。そして、前記カップリング部は基台上に設けられるので、基台上において様々なカップリング態様を設定することが容易に可能であり、様々なケーブリング態様を自在に設定することが可能となるものである。
【０００７】
請求項２にかかる誘導ノイズベンチ試験装置は、請求項１において、前記ノイズ測定器と前記被測定電線との間に介装可能とされたインピーダンス変換器を備えていることを特徴とする。この構成によれば、例えばスペクトラムアナライザ等のノイズ測定器の入力インピーダンスと、第２の電気回路の被測定電線のインピーダンスとがマッチングしていない場合に、インピーダンス整合を図ることができるようになる。
【０００８】
請求項３にかかる誘導ノイズベンチ試験装置は、請求項１において、前記基台は、その表面が金属平板で覆われたグランドプレーンからなり、前記金属平板が接地手段として機能することを特徴とする。この構成を採用すれば、前記ノイズ源電線及び被測定電線の終端部を、その直下にあるグランドプレーンたる金属平板と導電接続するだけで、アース接続が行えるようになる。
【０００９】
請求項４にかかる誘導ノイズベンチ試験装置は、請求項１〜３いずれかにおいて、前記カップリング部において、前記ノイズ源電線と被測定電線との並走長さ、並走間隔、及び基台からの配索高さのうちの、少なくとも一つを調整可能とするカップリング調整冶具を備えていることを特徴とする。このような構成によれば、両者の並走長さ、並走間隔、及び基台からの配索高さが、カップリング調整冶具により安定的に設定されると共に、カップリング条件の設定が冶具調整により簡易に行えるようになる。本構成におけるカップリング調整冶具は、ノイズ源電線と被測定電線との位置関係、若しくは基台からの配索高さを固定化できるスペーサ的な役目を果たす冶具であれば特にその形態には制限はない。なお、誘導ノイズ計測に影響を与えないよう、絶縁体で形成されていることが望ましい。
【００１０】
請求項５にかかる誘導ノイズベンチ試験装置は、請求項１において、前記ノイズ発生器が、トラッキングジェネレーターからなることを特徴とする。この構成によれば、周波数が連続的に変化する一定の大きさの正弦波電圧をノイズ源電線に与えることができ、ノイズ発生源の周波数変化に伴う被測定電線のクロストーク測定を行うことができるようになる。
【発明の効果】
【００１１】
請求項１にかかる２回路間の誘導ノイズベンチ試験装置によれば、例えば信号線等を実際にケーブル化した場合を模したノイズ発生環境が、第１の電気回路のノイズ源電線と第２の電気回路の被測定電線間において簡易に再現可能であり、しかも誘導ノイズ発生状況に大きな影響を与える両者のカップリング態様の設定を基台上で自在に行えるので、実際にケーブル化して試験を行うの場合との相関性が担保された状態で、種々のケーブル構造（遮蔽構造）を模擬して誘導ノイズ試験を行いノイズ測定器でデータを取得することが簡便に行えるようになる。従って、信号線を実際にケーブリングすることなく、信号線相互間のクロストークの影響を極力抑制した信号用ケーブル等の最適化設計条件の探知が、該ベンチ試験装置で容易に行えるようになるという効果を奏する。
【００１２】
請求項２にかかる誘導ノイズベンチ試験装置によれば、インピーダンス変換器を介装させることで、ノイズ測定器の入力インピーダンスと、第２の電気回路の被測定電線のインピーダンスとをマッチングさせて誘導ノイズ測定を行うことができるので、誤差の少ない計測を行うことができる。さらに、ノイズ測定器が低入力インピーダンスである場合に、ハイインピーダンス測定を必要に応じて行うことができるようになるという利点もある。
【００１３】
請求項３にかかる誘導ノイズベンチ試験装置によれば、ノイズ源電線及び被測定電線の終端部を、その直下にあるグランドプレーンたる金属平板と導電接続するだけで、アース接続が行えるので、アース接続が容易となり、作業性を向上させることができる。またグランドプレーンの使用により、大地面反射は既知量と扱え、ノイズ源電線と被測定電線との間の誘導ノイズ測定に影響を与える誤差要因を少なくすることができるという効果を奏する。
【００１４】
請求項４にかかる誘導ノイズベンチ試験装置によれば、ノイズ源電線と被測定電線との並走長さ、並走間隔、及び基台からの配索高さが、カップリング調整冶具により安定的に設定できると共に、カップリング条件の設定が冶具調整により簡易に行えるので、カップリング条件を順次任意に変移させて誘導ノイズ測定を行う場合等に、安定的な誘導ノイズ測定、並びに作業性の向上を実現させることができるという効果を奏する。
【００１５】
請求項５にかかる誘導ノイズベンチ試験装置によれば、周波数が連続的に変化する一定の大きさの正弦波電圧をノイズ源電線に与えることができ、ノイズ発生源の周波数変化に伴う被測定電線のクロストーク測定を行うことができることから、ケーブル設計に必要なデータを効率的に取得できるようになる。
【発明を実施するための最良の形態】
【００１６】
以下図面に基づいて、本発明の具体的実施形態につき詳細に説明する。
図１は、本発明にかかる２回路の誘導ノイズベンチ試験装置１の一例を示す平面図である。このベンチ試験装置１は、接地手段を備える平板状基台（グランドプレーン）２と、トラッキングジェネレーター等からなるノイズ発生器５に接続可能とされたノイズ源電線３（第１の電気回路）と、スペクトラムアナライザ等のノイズ測定器６に接続可能とされた被測定電線４（第２の電気回路）とを備えている。
【００１７】
そして前記基台２上において、前記ノイズ源電線３と被測定電線４とが配索可能とされていると共に、ノイズ源電線３と被測定電線４とを近接させて所定長さ並走可能とするカップリング部Ｃが所定の領域（カップリング部形成領域）に設けられている。また、前記基台２が備えている接地手段に対し、後述する通り、前記ノイズ源電線３及び被測定電線４の終端部を、それぞれアース接続部においてアース接続することが可能とされている。
【００１８】
前記基台２は、ベンチ試験のための測定フィールドを提供するための平板状基台であると共に、大地面の反射係数を規準化して一定にするためのグランドプレーンとしての役目を果たす。このため基台２は、図３に示すように、底板２０の表面に銅、鉄、アルミニウム等の金属平板２１が取り付けられた構造を備えている。このようなグランドプレーン（基台）２の使用により大地面反射は既知量と扱え、ノイズ源電線３と被測定電線４との間の誘導ノイズ測定に影響を与える誤差要因を少なくすることができるようになる。なお、基台２は必ずしも平板状でなくても良いが、配索の自由度や、上記グランドプレーンとしての役目を持たせる観点からは、平板状であることが望ましい。
【００１９】
第１の電気回路を構成するノイズ源電線３は、実際の複数本の信号伝送用メタル信号線を複合化してなる通信ケーブル、制御・計装ケーブル、ＬＡＮケーブル若しくはオーディオ用ケーブル等の信号用ケーブル等において、誘導ノイズの輻射源となる信号線等を模擬的に再現するためのものである。従ってノイズ源電線３としては、前記信号用ケーブル等に用いられている信号伝送用メタル信号線と同等な絶縁電線、同軸コード等を用いることができる。
【００２０】
第２の電気回路を構成する被測定電線４は、前記ノイズ源電線３２から誘導ノイズを輻射させた場合に、とのような誘導ノイズが重畳されるか（クロストークが発生するか）を検知するための供試体となるものであって、上記と同様に、例えば信号伝送用メタル信号線と同等な絶縁電線、同軸コード等を用いることができる。
【００２１】
ノイズ源電線３の一端側には、誘導性のノイズ信号を生成するノイズ発生器５が接続される。このノイズ発生器５としては、周波数が連続的に変化する一定の大きさの正弦波電圧を発生できるトラッキングジェネレーターが好適に用いられる。このようなノイズ発生器５であれば、ノイズ源電線３からトラッキングジェネレーターの出力に応じた誘導ノイズを輻射させることができると共に、その誘導ノイズの周波数を容易に変化させることができ、誘導ノイズの周波数特性を測定できるので好ましい。この他、スイッチング機能を備えた高周波電源や各種パルス発生装置等も、本発明におけるノイズ発生器５として用いることができる。
【００２２】
ノイズ源電線３とノイズ発生器５との接続部には、必要に応じてインピーダンス整合器３１が介在される。例えばノイズ発生器５としてのトラッキングジェネレーターの入力インピーダンスが５０Ωであるならば、これにマッチングさせるよう５０Ωのインピーダンス整合器３１が介在される。そして該インピーダンスとの整合を図るため、ノイズ源電線３の他端側にも、５０Ωのインピーダンス整合器３２が取り付けられる。そして、これらインピーダンス整合器３１、３２、つまりノイズ源電線３の両端部は、基台２の接地手段（金属平板２１）にアース接続されてアース接続部とされ、誘導ノイズ測定にあたり無用な外来雑音電波が重畳されないよう対策が施される。
【００２３】
なお、電力線の近傍に布設される信号用ケーブル等の設計用途に本発明のベンチ試験装置１を適用する場合は、前記ノイズ源電線３を電力供給用の電線としても良い。この場合、ノイズ発生器５として、その電力供給用電線の負荷となる電気設備や電気装置を模擬した供試電気装置を準備し、これにノイズ源電線３としての電力供給用電線を接続すると共に該電力供給用電線を基台２上に配索し、前記供試電気装置に通電のＯＮ−ＯＦＦ動作を繰り返すことで誘導ノイズを輻射させることができるような模擬的ノイズ発生装置を用いることができる。
【００２４】
前記被測定電線４の一端側（計測器側終端）には、被測定電線４に誘起される電圧を計測する測定器、すなわち被測定電線４に重畳される誘導ノイズを計測するノイズ測定器６が接続される。このノイズ測定器６としては、広帯域（例えば１０ｋＨｚ〜２ＧＨｚ程度）の誘導ノイズ計測が行い得る計測器を用いることが望ましく、例えば各種のスペクトラムアナライザを用いることができる。
【００２５】
被測定電線４とノイズ測定器６との接続部には、上記と同様に必要に応じてインピーダンス整合器（インピーダンス変換器）４１が介在される。そして該インピーダンス整合器４１のインピーダンスとの整合を図るため、被測定電線４の他端側にも、同じインピーダンス値のインピーダンス整合器４２が取り付けられる。そして、これらインピーダンス整合器４１、２２、つまり被測定電線３の両端部は、基台２の接地手段（金属平板２１）にアース接続される。また、ノイズ測定器６が低入力インピーダンス（例えば５０Ω）である場合であって、該入力インピーダンスを１〜１０ｋΩ程度とするハイインピーダンス測定を行う場合は、そのような高変換率のインピーダンス整合器（インピーダンス変換器）４１が介在される。
【００２６】
ノイズ源電線３及び被測定電線４は、基台２上に配索されると共に、基台２上の所定領域にノイズ源電線３と被測定電線４とのカップリング部Ｃが形成される。このカップリング部Ｃにおいては、ノイズ源電線３と被測定電線４とを近接させて所定長さ並走させ、ノイズ源電線３から輻射される誘導ノイズが被測定電線４に影響を与える環境を模擬的に作成する。最適な信号線配置の設定やケーブル遮蔽構造の特定には、ノイズ源電線３と被測定電線４とのカップリング態様を様々に変更させてデータを取る必要があることから、該カップリング部Ｃにおいて、誘導ノイズの生成に影響を与える、ノイズ源電線３と被測定電線４との並走長さ、並走間隔、及び基台２からの配索高さのうちの、少なくとも一つを調整可能とするためのカップリング調整冶具を用いることが望ましい。
【００２７】
図２（ａ）は、ノイズ源電線３と被測定電線４との並走長さ及び並走間隔を調整するためのカップリング調整冶具７の一例を示す斜視図である。このカップリング調整冶具７は、ノイズ源電線３及び被測定電線４の外周にそれぞれ密嵌合して保持可能な半円型の保持部７１、７２と、該保持部７１、７２の間を一定間隔で橋絡する連結部７３とから構成されている。このカップリング調整冶具７は、絶縁樹脂成型品で構成され、その長手方向の長さはノイズ源電線３と被測定電線４との所要の並走長さに応じて選定され、また前記連結部７３の幅は、両者の所要の並走間隔に応じて選定される。このようなカップリング調整冶具７を用いれば、カップリング条件を簡易に且つ安定的に設定できるようになるので好ましい。
【００２８】
図２（ｂ）は、ノイズ源電線３２と被測定電線４とを密接させてカップリングさせる場合を示しており、この場合はノイズ源電線３と被測定電線４とを密接して並走させ、その外周をカップリング調整冶具としての絶縁テープ７４で巻回して両者を所定長さ一体化させている。この場合、絶縁テープ７４としてはＰＶＣテープ等を用いることができる。
【００２９】
図３は、図２（ａ）に示したカップリング調整冶具７を用いたカップリング部Ｃにおいて、さらにノイズ源電線３及び被測定電線４の基台２からの配索高さを調整するための高さ調整冶具７５を用いた場合を示す斜視図である。この高さ調整冶具７５の厚さを適宜選定することにより、グランドプレーンとしての基台２（金属平板２１）からの誘導ノイズ反射波の影響を調整することができるようになる。この高さ調整冶具７５としては、種々の絶縁プレート等を用いることができ、例えばカーペット等であっても良い。
【００３０】
以上のようなカップリング部Ｃの態様の他、クロストークの撚りピッチ依存性等を測定する場合、上記したようなカップリング調整冶具７を用いず、ノイズ源電線３と被測定電線４とを測定目的のピッチで所定長さだけ撚り合せてカップリング部Ｃを構成しても良い。この場合、ノイズ源電線３と被測定電線４とを直接撚り合わせても良いし、ケーブル化する際に組入れる介在物等を介在させて撚り合わせても良い。
【００３１】
以上説明した本発明に係る２回路間の誘導ノイズベンチ試験装置１を用いた誘導ノイズの測定手順につき、図４のフローチャートに基づいて説明する。測定に際しては、先ず基台２上に模擬ノイズ源となるノイズ源電線３及び被測定電線４の配索が行われる（ステップＳ１）。この際、必要に応じてノイズ源電線３及び被測定電線４の両端部にそれぞれインピーダンス整合器（インピーダンス変換器）３１、３２、４１、４２を取り付けるようにする。
【００３２】
次に、ノイズ源電線３と被測定電線４とを近接させて所定長さ並走させるカップリング部Ｃが形成される（ステップＳ２）。このカップリング部Ｃにおけるノイズ源電線３と被測定電線４との並走長さは、基台２の大型化を避けつつ無限長のケーブルにおいて誘導ノイズを測定する場合と略同等な結果が得られる長さを選択することが望ましく、２ｍ〜５ｍ程度とされる。この際、必要に応じ、図２、図３に示したカップリング調整冶具７等を用い、ノイズ源電線３と被測定電線４とのカップリング態様の調整を図るようにする。このようなカップリング部Ｃの設定が完了したら、インピーダンス整合器３１、３２、４１、４２を基台２の金属平板２１と電気的に接続することで、ノイズ源電線３及び被測定電線４の両終端部がアース接続される（ステップＳ３）。そしてノイズ源電線３にはノイズ発生器５が、被測定電線４にはノイズ測定器６がそれぞれ接続される。
【００３３】
このような基台２上の準備作業が完了したら、ノイズ発生器５としてのトラッキングジェネレーターを動作させて誘導ノイズ測定試験を開始する（ステップＳ４）。すなわち、トラッキングジェネレーターから周波数が連続的に変化する一定の大きさの正弦波電圧を発生させて、ノイズ源電線３から誘導ノイズを輻射させる。これにより、カップリング部Ｃにおけるノイズ源電線３と被測定電線４とのカップリング条件に基づいた誘導ノイズが、ノイズ源電線３から被測定電線４へ与えられる。そして、被測定電線４へ誘起された誘導ノイズが、ノイズ測定器６により測定される（ステップＳ５）。
【００３４】
かかる誘導ノイズ測定を、カップリング部Ｃにおけるカップリング条件を適宜変更して複数回行うようにし、誘導ノイズに関するデータが所定量収集できたならば、例えばそのデータ解析結果を設計すべきケーブルの遮蔽構造の設定（ケーブル構造の特定）にフィードバックすることで（ステップＳ６）、誘導ノイズの影響を可及的に受けないの最適ケーブル構造構造を特定することが可能となるものである。
【００３５】
以上本発明の実施形態につき説明したが、本発明はこれに限定されるものではない。例えば、本実施形態ではカップリング部Ｃを直線状に形成した例を示したが、これを湾曲、屈曲させたカップリング部Ｃであっても良く、誘導ノイズの測定目的に応じて適宜カップリング部Ｃの形態を定めれば良い。また、ケーブル構造の設計用途以外に、各種電気系統や回路構造の特定等にも、本発明のベンチ試験装置１を適用することができる。
【００３６】
さらに、ノイズ発生器５とノイズ測定器６とを別個に用意する場合について説明したが、市販されているトラッキングジェネレーター付きスペクトラムアナライザ等を用いれば、前記ノイズ発生器５及びノイズ測定器６を一つの計測装置で賄えるので好ましい。
【図面の簡単な説明】
【００３７】
【図１】本発明に係る２回路間の誘導ノイズベンチ試験装置の一例を示す平面図である。
【図２】本発明で用いるカップリング調整冶具の一例を示す斜視図であり、（ａ）はノイズ源電線と被測定電線とを一定間隔をおいてカップリングさせる場合の例を、（ｂ）はノイズ源電線と被測定電線とを密接させてカップリングさせる場合の例をそれぞれ示している。
【図３】本発明で用いるカップリング調整冶具の一例を示す斜視図であり、ノイズ源電線及び被測定電線の配索高さを調整する場合の例を示している。
【図４】本発明のベンチ試験装置を用いた誘導ノイズの測定手順を示すフローチャートである。
【符号の説明】
【００３８】
１      誘導ノイズベンチ試験装置
２      基台
２１    金属平板（グランドプレーン）
３      ノイズ源電線（第１の電気回路）
４      被測定電線（第２の電気回路）
３１、３２、４１、４２  インピーダンス整合器（インピーダンス変換器）
５      ノイズ発生器
６      ノイズ測定器
７      カップリング調整冶具
７４    絶縁テープ（カップリング調整冶具）
７５    高さ調整冶具
Ｃ      カップリング部
【図１】
2005241277.tif 000003
【図２】
2005241277.tif 000004
【図３】
2005241277.tif 000005
【図４】
2005241277.tif 000006